(57)【要約】【課題】  平常時は小さく折り畳まれており、災害時に車椅子使用者が、自らの手で瞬時に膨らまして装着可能となる防災フードを備えた車椅子を提供する。【解決手段】  車椅子２の背もたれ部分に取り付けられ、面ファスナーで閉止された開閉自在な開口を備えた袋体２０と、袋体の中に折りたたんで収容された防災フード１０と、を有し、防災フードは、エアーバッグ１１と、エアーバッグに圧縮ガスを供給して膨らませる小型ガスボンベ１３と、小型ガスボンベを開放するボンベ開放装置１４とを有し、ボンベ開放装置が小型ガスボンベを開放するレバーを備え、レバーを回動する操作部が、前記開口から袋体の外側に露出し、操作部により小型ガスボンベを開放したとき、エアーバッグが袋体から飛び出して車椅子使用者の頭上で膨らみ、防災フードが即時に使用可能状態になるものである。【選択図】図２
2011067387.tif 000002
【特許請求の範囲】
【請求項１】
車椅子の背もたれ部分に取り付けられ、面ファスナーで閉止された開閉自在な開口を備えた袋体と、
前記袋体の中に折りたたんで収容された防災フードと、を有し、
前記防災フードは、エアーバッグと、該エアーバッグに圧縮ガスを供給して膨らませる小型ガスボンベと、該小型ガスボンベを開放するボンベ開放装置とを有し、該ボンベ開放装置が前記小型ガスボンベを開放するレバーを備え、該レバーを回動する操作部が、前記開口から袋体の外側に露出し、前記操作部により前記小型ガスボンベを開放したとき、前記エアーバッグが前記袋体から飛び出して車椅子使用者の頭上で膨らみ、前記防災フードが即時に使用可能状態になることを特徴とする防災フードを備えた車椅子。
【請求項２】
前記エアーバッグが、頭上部と顔の両側面を覆う第１のエアーバッグと、該第１のエアーバッグと連通し、後頭部から背中上部を覆う第２のエアーバッグとを有することを特徴とする請求項１に記載の防災フードを備えた車椅子。
【請求項３】
前記エアーバッグの一部と前記袋体の内部とが、複数のボタン又は面ファスナーで固着され、前記防災フードが使用可能状態になるときの高さを調整することができることを特徴とする請求項１又は２に記載の防災フードを備えた車椅子。
【請求項４】
使用可能状態になった前記防災フードが、前記袋体から取り外し可能であることを特徴とする請求項１〜３のいずれかに記載の防災フードを備えた車椅子。
【請求項５】
前記操作部が紐等の線状体であり、該線状体によって前記レバーを回動させ、前記小型ガスボンベを開放した後、前記線状体が前記レバーから外れることを特徴とする請求項１〜４のいずれかに記載の防災フードを備えた車椅子。
【発明の詳細な説明】
【技術分野】
【０００１】
本発明は、平常時は小さく折り畳まれており、災害時に車椅子使用者が、自らの手で瞬時に膨らまして装着可能とすることができる防災フードを備えた車椅子に関する。
【背景技術】
【０００２】
地震、火事などの災害時に、頭上からの落下物から頭等を保護するために、防災フードが用いられる。このような防災フードは、いつ必要になるか想定できないため、普段から持ち運びできることが望ましい。
【０００３】
特許文献１（特許第３３４８２４１号）では、リュックサックの上部に頭巾収納用帯を設け、そこにエアーバッグ式の頭巾を折り畳んで収容するものを提案している。これは、災害時に、エアーバッグをガス充填装置で瞬時に膨らますことで、頭部を保護できるようになっている。
【先行技術文献】
【特許文献】
【０００４】
【特許文献１】特許第３３４８２４１号
【発明の概要】
【発明が解決しようとする課題】
【０００５】
ここで、健常者であれば、特許文献１に示されたような防災フードを装備したリュックサック等を持ち運び、災害時に装着することも可能であるが、車椅子を利用しなければならない人にとっては、リュックサック等の荷物を持ち運ぶことは困難である。しかし、災害時には、まず自分の身を守ることが先決であることから、車椅子使用者にも持ち運びができ、自ら簡単に装着できる防災フードが必要である。
【０００６】
本発明は、斯かる実情に鑑み、平常時は小さく折り畳まれており、災害時に車椅子使用者が、自らの手で瞬時に膨らまして装着可能となる防災フードを備えた車椅子を提供しようとするものである。
【課題を解決するための手段】
【０００７】
本発明の防災フードを備えた車椅子は、車椅子の背もたれ部分に取り付けられ、面ファスナーで閉止された開閉自在な開口を備えた袋体と、袋体の中に折りたたんで収容された防災フードと、を有し、防災フードは、エアーバッグと、エアーバッグに圧縮ガスを供給して膨らませる小型ガスボンベと、小型ガスボンベを開放するボンベ開放装置とを有し、ボンベ開放装置が小型ガスボンベを開放するレバーを備え、レバーを回動する操作部が、前記開口から袋体の外側に露出し、操作部により小型ガスボンベを開放したとき、エアーバッグが袋体から飛び出して車椅子使用者の頭上で膨らみ、防災フードが即時に使用可能状態になることを特徴とするものである。
【０００８】
ここで、エアーバッグが、頭上部と顔の両側面を覆う第１のエアーバッグと、該第１のエアーバッグと連通し、後頭部から背中上部を覆う第２のエアーバッグとを有する構成にしても良い。また、エアーバッグの一部と袋体の内部とが、複数のボタン又は面ファスナーで固着され、防災フードが使用可能状態になるときの高さを調整することができる構成にすることもできる。
【０００９】
また、使用可能状態になった防災フードを袋体から取り外し可能にしたり、操作部を紐等の線状体とし、該線状体によってレバーを回動させ、小型ガスボンベを開放した後、前記線状体がレバーから外れる構成にしても良い。
【発明の効果】
【００１０】
本発明の防災フードを備えた車椅子によれば、災害時に車椅子使用者が車椅子に座った状態のまま、防災フードを簡単に装着することができるという優れた効果を奏し得る。
【００１１】
また、使用可能となった防災フードは、車椅子から取り外し可能なので、防災フードを装着したまま車椅子から離れることができ、また、エアーバッグには空気が注入されているので、水害の場合には浮き袋としても用いることができるという効果も奏し得る。
【図面の簡単な説明】
【００１２】
【図１】本発明の防災フードを備えた車椅子の斜視図であり、エアーバッグが膨らむ前の状態を示す。
【図２】本発明の防災フードを備えた車椅子の斜視図であり、エアーバッグが膨らんだ後の状態を示す。
【図３】小型ガスボンベとボンベ開放装置の外観を示す斜視図で、（ａ）は作動前の状態、（ｂ）は作動後の状態を示す。
【図４】滑車を通る紐がボンベ開放装置を作動させる断面図で、（ａ）は作動前の状態、（ｂ）は作動後の状態、（ｃ）は作動後に紐が抜ける状態を示す。
【発明を実施するための形態】
【００１３】
以下、本発明の実施の形態を添付図面を参照して説明する。
図１は、本発明の防災フードを備えた車椅子の斜視図であり、エアーバッグが膨らむ前の状態を示し、図２は、本発明の防災フードを備えた車椅子の斜視図であり、エアーバッグが膨らんだ後の状態を示す。
【００１４】
本発明の防災フードを備えた車椅子１は、平常時は、図１のように、袋体２０が車椅子２の背もたれ部分に取り付けられていて、袋体２０の中には、エアーバッグ１１内のエアーを抜いた防災フード１０が、小さく折り畳んで収容されている。袋体２０は、収容されている防災フード１０が膨らんで飛び出せるような構造でなければならないため、例えば、略四角形の布を２枚張り合わせ、開閉自在な面ファスナー２１の開口を備えた構造にすることができる。なお、袋体２０は、車椅子２の背もたれ部分に取り付けられているので、車椅子使用者にとっては、ほとんど邪魔にならない。
【００１５】
防災フード１０は、エアーバッグ１１によって落下物等からの衝撃を和らげる構成となっている。図２に示したエアーバッグ１１は、頭部の上面と左右側面を覆う第１のエアーバッグ１１ａと、後頭部から頸部を経て背中の上部までを覆う第２のエアーバッグ１１ｂとを有する構成になっている。従来の防災フードでは、フードを着用しているにも拘わらず、頸部や背中に落下物が当たって怪我をする可能性があった。これに対し、第２のエアーバッグ１１ｂを備えた防災フード１０であれば、頭部は勿論、頸部や背中に落下物が衝突しても、頸部や背中を傷めることなく、十分に保護することが可能である。
【００１６】
エアーバッグ１１は、第２のエアーバッグ１１ｂに取り付けられた圧縮ガスの小型ガスボンベ１３と、ボンベ開放装置１４によって、ガスを充填できる構成となっている。ボンベ開放装置１４には、操作部となる紐１５が取り付けられていて先端には握り１５ａが設けられている。この紐１５及び握り１５ａは、袋体２０の開口を通って外に出るようにセットされる。なお、紐１５は、車椅子２に取り付けた滑車１９を介することで、引っ張る角度を調整したり、軽い力でボンベを開放することができるようになる。また、操作部は紐１５に限定されず、線状体であれば、針金等であっても良い。
【００１７】
図２に示した第１のエアーバッグ１１ａは、複数の棒状小エアーバッグを横方向に連結させたものなので、第１のエアーバッグ１１ａが頭部、顔の両側面に沿って曲がりやすくなっている。また、背中に伸びる第２のエアーバッグ１１ｂも、複数の棒状小エアーバッグを横方向に連結させたものとなっているので、丈夫であり、衝撃に強くなっている。そして、第１のエアーバッグ１１ａと第２のエアーバッグ１１ｂは、内部空間が連通しており、いずれか１の棒状小エアーバッグに圧縮ガスを入れると、圧縮ガスは瞬時に全ての棒状小エアーバッグ内に入り、これらを膨らませることができる。膨らんだ防災フード１０は、エアーバッグ１１が高圧ガスで充填されているので、非常に硬くなっている。特に、複数の棒状の棒状小エアーバッグを横方向に連結した構成なので、強度を上げることができる。
【００１８】
また、エアーバッグ１１は、ナイロン製の基布に、ポリウレタンエラストマーを塗布したもので、難燃性で、撥水性があり、かつ、気密性もあり、エアーバッグ１１に入った圧縮ガスが非常に漏れにくい構造にすると良い。そうすれば、地震などで使用している際に、頭上から落下してきたものを受けても、頭部や頸部を十分に保護することができる。
【００１９】
第１のエアーバッグ１１ａには、防災フード１０を頭部に固定するための顎紐１６が取り付けられていて、面ファスナー等で簡単に固着できるようになっている。また、エアーバッグ１１には、エアー抜きの弁１８が装備されており、防災フード１０の使用が終わったときにエアーバッグ１１内のガスを抜いて折り畳むことができる構成になっている。
【００２０】
また、車椅子使用者が車椅子２に座った状態で、防災フード１０を被れるようにするために、膨らんだときの防災フード１０の位置を車椅子使用者の頭の位置に合わせておく必要がある。そこで、エアーバッグ１１の一部と袋体２０とをボタン１７又は面ファスナー等で固着できる構成にすると良い。ボタン１７や面ファスナーであれば、防災フード１０の高さを予め簡単に調整することができ、また、防災フード１０を被ったまま車椅子２を離れなければならないときに、簡単に防災フード１０だけを袋体２０から取り外すことができるからである。
【００２１】
図３は、小型ガスボンベとボンベ開放装置の外観を示す斜視図で、（ａ）は作動前の状態、（ｂ）は作動後の状態を示す。また、図４は、滑車を通る紐がボンベ開放装置を作動させる断面図で、（ａ）は作動前の状態、（ｂ）は作動後の状態、（ｃ）は作動後に紐が抜ける状態を示す。
【００２２】
これらの図に示すように、小型ガスボンベ１３はねじでボンベ開放装置１４に取り付けられている。ボンベ開放装置１４には、インサート針１４ａがあり、バネ１４ｂによって先端が小型ガスボンベ１３から離れる方向に付勢されている。インサート針１４ａの後端は、レバー１４ｃの一端と当接しており、レバー１４ｃは、回動軸１４ｄを軸に回転することができる。レバー１４ｃの他端には操作部としての紐１５が接続され、紐１５の先端には握り１５ａがある。
【００２３】
ボンベ開放装置１４を作動させるには、握り１５ａを持って紐１５を引っ張り、レバー１４ｃを図３（ａ）から（ｂ）のように回転させる。すると、レバー１４ｃの一端がインサート針１４ａの後端を押し、インサート針１４ａは小型ガスボンベ１３に向かって進み、小型ガスボンベ１３の開口部に設けられた封板を突き破る。これによって、小型ガスボンベ１３から圧縮炭酸ガスが噴出し、穴１４ｅからボンベ開放装置１４に連結されたエアーバッグ１１に炭酸ガスが充填される。使用済の小型ガスボンベ１３は取り外して、新規なものと交換することができる。
【００２４】
本発明においては、車椅子使用者が車椅子２に座った状態で、操作部である紐１５を引っ張らなければならない。そこで、車椅子２に滑車１９を取り付けて、握り１５ａを握りやすい位置に導き、軽い力で紐１５を引っ張って、レバー１４ｃを動かすことができるようにすると良い。このとき、防災フード１０が膨らんで装着可能となった後、紐１５が滑車１９から抜けなければ、紐１５が引っかかって、防災フード１０を被ったまま車椅子２を離れることができなくなる。そこで、レバー１４ｃに切欠１４ｆを設け、図４（ｃ）に示したように、レバー１４ｃが回転した後、紐１５がレバー１４ｃから外れる構成にしておくと良い。
【００２５】
また、袋体２０内には、防災フード１０だけでなく非常食を入れておくこともできる。非常食によって、かなりの期間を持ちこたえることができるからである。
【符号の説明】
【００２６】
１        防災フードを備えた車椅子
２        車椅子
１０      防災フード
１１      エアーバッグ
１１ａ    第１のエアーバッグ
１１ｂ    第２のエアーバッグ
１３      小型ガスボンベ
１４      ボンベ開放装置
１４ａ    インサート針
１４ｂ    バネ
１４ｃ    レバー
１４ｄ    回動軸
１４ｅ    穴
１４ｆ    切欠
１５      紐
１５ａ    握り
１６      顎紐
１７      ボタン
１８      エアー抜きの弁
１９      滑車
２０      袋体
２１      面ファスナー
【図１】
2011067387.tif 000003
【図２】
2011067387.tif 000004
【図３】
2011067387.tif 000005
【図４】
2011067387.tif 000006